(57)【要約】      （修正有）【課題】人体局部を洗浄する局部洗浄ノズルを洗浄するノズル洗浄を行う温水洗浄便座装置において、局部洗浄ノズルの清潔性が向上する温水洗浄便座装置を提供する。【解決手段】温水洗浄便座装置は、人体局部を洗浄する局部洗浄水を噴出する局部洗浄穴６２ｃ４、６３ｃ４を有するノズル６２ｃ、６３ｃと、ノズル６２ｃ、６３ｃを洗浄するノズル洗浄水を噴出するノズル洗浄穴６５ｃ，６５ｄを有するノズル洗浄部材６５と、制御装置と、を備え、制御装置は、ノズル６２ｃ，６３ｃを収納位置Ｐ１に位置させて、かつ、ノズル洗浄穴６５ｃ，６５ｄからノズル洗浄水を噴出させるとともに、ノズル６２ｃ，６３ｃの局部洗浄穴６２ｃ４，６３ｃ４から局部洗浄水を噴出させてノズル６２ｃ，６３ｃを洗浄するノズル洗浄制御を行う。【選択図】図９
2016172976.tif 000002
【特許請求の範囲】
【請求項１】
便座を保持する本体部内に収納される収納位置と、水源から供給される洗浄水を、人体局部を洗浄する局部洗浄水として前記人体局部に向けて噴出する洗浄位置との間を移動可能に配設され、前記局部洗浄水を噴出する局部洗浄穴を有する局部洗浄ノズルと、
前記本体部内に配設され、前記局部洗浄ノズルが前記収納位置に位置する場合、前記水源から供給される前記洗浄水を、前記局部洗浄ノズルを洗浄するノズル洗浄水として前記局部洗浄穴に向けて少なくとも噴出するノズル洗浄穴を有するノズル洗浄部材と、
前記水源、前記局部洗浄ノズルおよび前記ノズル洗浄部材に接続され、前記水源から前記局部洗浄穴および前記ノズル洗浄穴に供給される前記洗浄水の圧力をそれぞれ調整することにより、前記局部洗浄穴から噴出される前記局部洗浄水および前記ノズル洗浄穴から噴出される前記ノズル洗浄水の水勢をそれぞれ調整する水勢調整装置と、
前記水勢調整装置を少なくとも制御する制御装置と、を備えた温水洗浄便座装置であって、
前記制御装置は、前記局部洗浄ノズルを前記収納位置に位置させて、かつ、前記水勢調整装置によって、前記ノズル洗浄穴から前記ノズル洗浄水を噴出させるとともに、前記局部洗浄穴から前記局部洗浄水を噴出させて前記局部洗浄ノズルを洗浄するノズル洗浄制御を行う温水洗浄便座装置。
【請求項２】
前記制御装置は、前記ノズル洗浄制御を行う場合、前記水勢調整装置によって、前記ノズル洗浄穴から前記ノズル洗浄水を第一水勢にて噴出させるとともに、前記局部洗浄穴から前記局部洗浄水を前記第一水勢より弱い第二水勢にて噴出させる請求項１記載の温水洗浄便座装置。
【請求項３】
前記局部洗浄ノズルは、前記局部洗浄ノズルに供給される前記洗浄水の圧力によって、前記収納位置から前記洗浄位置に移動する水圧駆動式ノズルであり、
前記局部洗浄水の前記第二水勢に相当する前記局部洗浄穴に供給される前記洗浄水の圧力値は、前記局部洗浄ノズルを前記収納位置に位置させる前記洗浄水の最大圧力値以下に設定されている請求項２記載の温水洗浄便座装置。
【請求項４】
前記ノズル洗浄穴は、前記ノズル洗浄水を前記局部洗浄ノズルに向かうにしたがって扇状に広がって噴出させるように形成されている請求項１乃至請求項３の何れか一項記載の温水洗浄便座装置。
【発明の詳細な説明】
【技術分野】
【０００１】
本発明は、温水洗浄便座装置に関する。
【背景技術】
【０００２】
温水洗浄便座装置の一形式として、特許文献１に示されているものが知られている。特許文献１の図１に示されているように、温水洗浄便座装置は、人体局部を洗浄するための洗浄水を噴出するおしり洗浄ノズル１６およびビデ洗浄ノズル１７、洗浄ノズル１６，１７に向けて洗浄水を噴出することにより、洗浄ノズル１６，１７を掃除する掃除ノズル１８、並びに、掃除ノズル１８に供給される洗浄水を加熱する熱交換器２０を備えている。掃除ノズル１８は、洗浄ノズル１６，１７における洗浄水を噴出する噴出穴が設けられた先端部外面に向けて洗浄水を噴出する。
【先行技術文献】
【特許文献】
【０００３】
【特許文献１】特開２００４−２６３４２１号公報
【発明の概要】
【発明が解決しようとする課題】
【０００４】
しかしながら、特許文献１の温水洗浄便座装置において、掃除ノズル１８から噴出される洗浄水の水勢が比較的強い場合、洗浄ノズル１６，１７の外面に付着した汚れが噴出穴から洗浄ノズル１６，１７内部に入り込む可能性がある。この場合、洗浄ノズル１６，１７の清潔性が低下する。
【０００５】
そこで、本発明は、上述した問題を解消するためになされたもので、人体局部を洗浄する局部洗浄ノズルを洗浄するノズル洗浄を行う温水洗浄便座装置において、局部洗浄ノズルの清潔性の低下を抑制することを目的とする。
【課題を解決するための手段】
【０００６】
上記の課題を解決するため、請求項１に係る温水洗浄便座装置は、便座を保持する本体部内に収納される収納位置と、水源から供給される洗浄水を、人体局部を洗浄する局部洗浄水として人体局部に向けて噴出する洗浄位置との間を移動可能に配設され、局部洗浄水を噴出する局部洗浄穴を有する局部洗浄ノズルと、本体部内に配設され、局部洗浄ノズルが収納位置に位置する場合、水源から供給される洗浄水を、局部洗浄ノズルを洗浄するノズル洗浄水として局部洗浄穴に向けて少なくとも噴出するノズル洗浄穴を有するノズル洗浄部材と、水源、局部洗浄ノズルおよびノズル洗浄部材に接続され、水源から局部洗浄穴およびノズル洗浄穴に供給される洗浄水の圧力をそれぞれ調整することにより、局部洗浄穴から噴出される局部洗浄水およびノズル洗浄穴から噴出されるノズル洗浄水の水勢をそれぞれ調整する水勢調整装置と、水勢調整装置を少なくとも制御する制御装置と、を備えた温水洗浄便座装置であって、制御装置は、局部洗浄ノズルを収納位置に位置させて、かつ、水勢調整装置によって、ノズル洗浄穴からノズル洗浄水を噴出させるとともに、局部洗浄穴から局部洗浄水を噴出させて局部洗浄ノズルを洗浄するノズル洗浄制御を行う。
【発明の効果】
【０００７】
これによれば、局部洗浄ノズルを洗浄するノズル洗浄が行われる場合、ノズル洗浄穴からノズル洗浄水が噴出するとともに、局部洗浄穴から局部洗浄水が噴出する。よって、ノズル洗浄を行ったノズル洗浄水が局部洗浄穴から局部洗浄ノズル内部に入り込むことを抑制することができる。したがって、局部洗浄ノズルの清潔性の低下を抑制することができる。
【図面の簡単な説明】
【０００８】
【図１】本発明の第一実施形態に係る温水洗浄便座装置が便器に設置されている状態を示す斜視図である。
【図２】図１に示す温水洗浄便座装置の本体部の内部を示す部分平面図である。
【図３】図２に示す洗浄ユニットの模式図である。
【図４】図２に示す水勢調整装置の軸方向断面図である。
【図５Ａ】図４に示すＶ−Ｖ線に沿った水勢調整装置の断面図であり、弁体が原点位置に位置している状態を表している。
【図５Ｂ】図４に示すＶ−Ｖ線に沿った水勢調整装置の断面図であり、弁体がおしり洗浄範囲内に位置している状態を表している。
【図５Ｃ】図４に示すＶ−Ｖ線に沿った水勢調整装置の断面図であり、弁体がビデ洗浄範囲内に位置している状態を表している。
【図６】図２に示すおしり洗浄部材の軸方向断面図であり、おしりノズルが収納位置に位置している状態を表している。
【図７】図２に示すおしり洗浄部材の軸方向断面図であり、おしりノズルが洗浄位置に位置している状態を表している。
【図８】図６に示すスプリングの特性を示す図である。
【図９】図２に示すノズル装置の部分拡大図である。
【図１０】図９に示すＸ−Ｘ線に沿ったノズル洗浄部材の断面図である。
【図１１】図１０に示すXI−XI線に沿ったノズル洗浄部材の断面図である。
【図１２】図１０に示すXII矢視によるノズル洗浄部材の矢視図である。
【図１３】本発明の第二実施形態に係る温水洗浄便座装置におけるおしり洗浄部材の軸方向断面図である。
【図１４】本発明の第三実施形態に係る温水洗浄便座装置における洗浄ユニットの模式図である。
【図１５】本発明の第四実施形態に係る温水洗浄便座装置におけるおしり洗浄部材の軸方向断面図である。
【図１６】本発明の第五実施形態に係る温水洗浄便座装置におけるノズル装置の断面図であり、おしり洗浄部材の軸方向断面を表している。
【発明を実施するための形態】
【０００９】
以下、本発明による温水洗浄便座装置１の第一実施形態について説明する。なお、本明細書においては説明の便宜上、図１における上側および下側をそれぞれ温水洗浄便座装置１の上方および下方とし、同じく左上側および右下側をそれぞれ温水洗浄便座装置１の後方および前方とし、同じく左下側および右上側を、それぞれ温水洗浄便座装置１の左方および右方として説明する。
【００１０】
温水洗浄便座装置１は、図１に示すように腰掛式便器２に取り付けられている。温水洗浄便座装置１は、本体部１０、便座２０および便座２０を覆う便蓋３０を備えている。本体部１０は、ケーシング１１（図１，２参照）、人体局部の洗浄を行う洗浄ユニット４０（図２参照）および温水洗浄便座装置１を統括制御する制御装置５０（図１参照）を備えている。
【００１１】
ケーシング１１は、中空の箱状に形成されている。ケーシング１１は、例えばポリプロピレン等の樹脂材料が用いられ、射出成型によって形成されている。ケーシング１１は、第一ケーシング１１ａおよび第二ケーシング１１ｂを備えている（図１、図２および図６参照）。
第一ケーシング１１ａは、本体部１０の上方を覆うとともに、底部を開放する箱状に形成されている。第一ケーシング１１ａは、便座２０および便蓋３０を回動可能に保持する。第二ケーシング１１ｂは、ケーシング１１の底部を構成する。第二ケーシング１１ｂは、第一ケーシング１１ａの底部を覆うように、平面矩形の板状に形成されている。ケーシング１１には、洗浄ユニット４０および制御装置５０が収納されている。
【００１２】
洗浄ユニット４０は、図２に示すように、第二ケーシング１１ｂに配設されている。洗浄ユニット４０は、給水バルブ４１、温水タンク４２、第一接続ホース４３およびノズル装置４４（６０）を備えている。
【００１３】
給水バルブ４１は、図３に示すように、水道配管３（本発明の水源に相当）に取り付けられた分岐水栓３ａに、洗浄水を流通させる第一流路Ｌ１を構成する給水ホース（図示なし）を介して接続されている。分岐水栓３ａは、水道配管３に流れる上水を洗浄水として給水ホース（第一流路Ｌ１）に導入するものである。給水バルブ４１は、給水ホースから導入された洗浄水を温水タンク４２に供給する。給水バルブ４１は、給水ホースと温水タンク４２との間の洗浄水の流路である第二流路Ｌ２を構成する。給水バルブ４１は、ストレーナ４１ａ、逆止弁４１ｂ、定流量弁４１ｃ、止水電磁弁４１ｄ、リリーフバルブ４１ｅを備えている。
【００１４】
ストレーナ４１ａは、上水に含まれるゴミ等を除去するものである。逆止弁４１ｂは、分岐水栓３ａから温水タンク４２への洗浄水の流れを許容するが、逆方向の流れを規制するものである。定流量弁４１ｃは、第二流路Ｌ２に流れる洗浄水の流量を一定に維持するものである。止水電磁弁４１ｄは、制御装置５０から送信される制御信号により、第二流路Ｌ２を開状態または閉状態にするものである。本実施形態においては、止水電磁弁４１ｄは、通常時（非制御時）に第二流路Ｌ２を閉状態にする。リリーフバルブ４１ｅは、水道配管３から供給された洗浄水を排出することにより、温水タンク４２およびノズル装置４４に供給される洗浄水の圧力を調節するものである。
【００１５】
温水タンク４２は、供給された洗浄水を貯留するとともに、加熱するものである。温水タンク４２は、図３に示すように、タンク部４２ａ、ヒータ４２ｂおよび温度センサ４２ｃを備えている。タンク部４２ａは、内部に洗浄水を貯留するものである。タンク部４２ａは、例えばポリプロピレン等の樹脂材料によって中空の箱状に形成されている。ヒータ４２ｂは、タンク部４２ａに貯留された洗浄水を、制御装置５０から送信される制御信号にしたがって加熱するものである。ヒータ４２ｂは、例えばシーズヒータである。温度センサ４２ｃは、タンク部４２ａに貯留された洗浄水の温度を検出し、検出結果を制御装置５０に送信するものである。
【００１６】
第一接続ホース４３は、温水タンク４２とノズル装置４４とを接続し、洗浄水の流路である第三流路Ｌ３を構成するものである。第一接続ホース４３は、例えばニトリルゴム等にて形成された管状のホースである。なお、本実施形態においては、給水バルブ４１と温水タンク４２とは、にホース等を介さずに直接接続されている。
【００１７】
ノズル装置６０は、第一接続ホース４３から供給された洗浄水を局部洗浄水として人体局部に向けて噴出することにより、人体局部を洗浄するものである。ノズル装置６０は、水勢調整切替バルブ６１（本発明の水勢調整装置に相当）、おしり洗浄を行う局部洗浄水を噴出するおしり洗浄部材６２、ビデ洗浄を行う局部洗浄水を噴出するビデ洗浄部材６３、第二接続ホース６４、および、おしりノズル６２ｃおよびビデノズル６３ｃの洗浄を行うノズル洗浄水を噴出するノズル洗浄部材６５を備えている。また、ノズル装置６０は、洗浄水の流路を構成する第四流路Ｌ４、第五流路Ｌ５および第六流路Ｌ６を備えている。第四流路Ｌ４は、水勢調整切替バルブ６１とおしり洗浄部材６２とを接続する流路である。第五流路Ｌ５は、水勢調整切替バルブ６１とビデ洗浄部材６３とを接続する流路である。第六流路Ｌ６は、水勢調整切替バルブ６１とノズル洗浄部材６５とを接続する流路である。第六流路Ｌ６は、第二接続ホース６４によって構成されている。
【００１８】
水勢調整切替バルブ６１は、流路Ｌ３，Ｌ４，Ｌ５，Ｌ６に接続され、第三流路Ｌ３（第一接続ホース４３）から供給された洗浄水を、各流路Ｌ４，Ｌ５，Ｌ６に選択的に切り替えて導出するものである。また、水勢調整切替バルブ６１は、各洗浄部材６２，６３に供給される局部洗浄水の圧力を調整することにより、局部洗浄水およびノズル洗浄水の水勢を調整する。水勢調整切替バルブ６１は、図４乃至図５Ｃに示すように、バルブボディ６１ａ、弁体６１ｂ、第一シール部材６１ｃ、第二シール部材６１ｄおよびモータ６１ｅを備えている。
【００１９】
バルブボディ６１ａは、前端を開口する円筒状に形成され、内部に弁体６１ｂを軸線６１ｆ周りに回動可能に収納するものである。バルブボディ６１ａは、４つのポート６１ａ１〜６１ａ４を備えている。第一ポート６１ａ１は、バルブボディ６１ａの後端部に形成され、一端を第一開口部６１ａ５にてバルブボディ６１ａ内部と接続され、他端を第一接続ホース４３に接続されている。第二ポート６１ａ２は、図５Ａに示すように、バルブボディ６１ａの側壁から左方に向かって突出し、一端を第二開口部６１ａ６にてバルブボディ６１ａ内部と接続され、他端を第四流路Ｌ４に接続されている。第三ポート６１ａ３は、バルブボディ６１ａの側壁から右方に向かって突出し、一端を第三開口部６１ａ７にてバルブボディ６１ａ内部と接続され、他端を第五流路Ｌ５に接続されている。第四ポート６１ａ４は、図４および図５Ａに示すように、バルブボディ６１ａの側壁から下方に向かって突出し、一端を第四開口部６１ａ８にてバルブボディ６１ａ内部と接続され、他端を第六流路Ｌ６に接続されている。
【００２０】
弁体６１ｂは、図４に示すように、後端を第一開口部６１ａ５に向けて開口する円筒状に形成されている。弁体６１ｂの外周面は、バルブボディ６１ａの内周面と液密に周方向に摺動可能に形成されている。弁体６１ｂの側壁には、図４乃至図５Ｃに示すように、弁体６１ｂ内部と第二開口部６１ａ６とを連通可能に形成された第一連通穴６１ｂ１、弁体６１ｂ内部と第三開口部６１ａ７とを連通可能に形成された第二連通穴６１ｂ２、および、弁体６１ｂ内部と第四開口部６１ａ８とを連通可能に形成された第三連通穴６１ｂ３が形成されている。このようにバルブボディ６１ａおよび弁体６１ｂを形成することにより、第一接続ホース４３から供給される洗浄水は、第一ポート６１ａ１の第一開口部６１ａ５から弁体６１ｂ内部に供給される。第一連通穴６１ｂ１と第二開口部６１ａ６とが連通する場合、弁体６１ｂ内部に供給された洗浄水は、第二ポート６１ａ２さらに第四流路Ｌ４に導出される。また、第二連通穴６１ｂ２と第三開口部６１ａ７とが連通する場合、弁体６１ｂ内部に供給された洗浄水は、第三ポート６１ａ３さらに第五流路Ｌ５に導出される。さらに、第三連通穴６１ｂ３と第四開口部６１ａ８とが連通する場合、弁体６１ｂ内部に供給された洗浄水は、第四ポート６１ａ４さらに第六流路Ｌ６に導出される。
【００２１】
弁体６１ｂは、原点位置ＨＰから図５Ｂに矢印にて示す時計周りＣＷに回動することにより、おしり洗浄回動範囲内に位置する。おしり洗浄回動範囲は、弁体６１ｂの回動可能な範囲のうち、おしりノズル６２ｃのみから局部洗浄水が噴出する範囲である。具体的には、おしり洗浄回動範囲は、弁体６１ｂ内部と第二開口部６１ａ６とが第一連通穴６１ｂ１を介して連通され、かつ、弁体６１ｂ内部と開口部６１ａ７，６１ａ８とが遮断される範囲である。
【００２２】
また、第一連通穴６１ｂ１は、図４に示すように、周方向長さを開口部６１ａ６の周方向長さより長く、かつ、弁体６１ｂの周方向に沿って上方から下方に向かうにしたがって軸線６１ｆ方向に沿った長さを短くする三角形状に形成されている。このように第一連通穴６１ｂ１を形成することで、弁体６１ｂの回動によって、第一連通穴６１ｂ１が第二開口部６１ａ６に対して開口する面積である第一開口面積を調整することができる。具体的には、弁体６１ｂが原点位置ＨＰから時計周りＣＷに回動するにしたがって、第一開口面積が増加するように調整される。これにより、弁体６１ｂ内部と第二開口部６１ａ６との間に形成される流路の流路抵抗を調整することができるため、おしり洗浄部材６２に供給される洗浄水の圧力を調整することができる。
【００２３】
また、弁体６１ｂは、原点位置ＨＰから図５Ｃに矢印にて示す反時計周りＣＣＷに回動することにより、ビデ洗浄回動範囲内に位置する。ビデ洗浄回動範囲は、弁体６１ｂの回動可能な範囲のうち、ビデノズル６３ｃのみから局部洗浄水が噴出する範囲である。具体的には、ビデ洗浄回動範囲は、弁体６１ｂ内部と第三開口部６１ａ７とが第二連通穴６１ｂ２を介して連通され、かつ、弁体６１ｂ内部と開口部６１ａ６，６１ａ８とが遮断される範囲である。弁体６１ｂがビデ洗浄回動範囲内にて回動することによって、第二連通穴６１ｂ２が第三開口部６１ａ７に対して開口する面積である第二開口面積が調整されるため、上述したおしり洗浄部材６２の場合と同様に、ビデ洗浄部材６３に供給される洗浄水の圧力を調整することができる。
第三連通穴６１ｂ３は、第四開口部６１ａ８より小さい断面円状に形成されている。
【００２４】
弁体６１ｂは、人体局部の洗浄が行われていない場合、図４および図５Ａに示す原点位置ＨＰに位置する。弁体６１ｂが原点位置ＨＰに位置する場合、弁体６１ｂ内部と、各開口部６１ａ６，６１ａ７，６１ａ８とが、各連通穴６１ｂ１，６１ｂ２，６１ｂ３を介して連通される。この場合において、第一開口面積および第二開口面積は、各洗浄部材６２，６３に供給される洗浄水の圧力値が第一圧力値Ｐｒ１となるように設定されている。第一圧力値Ｐｒ１は、おしりノズル６２ｃおよびビデノズル６３ｃを収納位置Ｐ１に位置させる洗浄水の最大圧力値以下の圧力値である（後述する）。さらに、弁体６１ｂが原点位置ＨＰに位置する場合、第三連通穴６１ｂ３が第四開口部６１ａ８に対して開口する面積である第三開口面積は、第一開口面積および第二開口面積より大きくなるように設定されている。これにより、弁体６１ｂが原点位置ＨＰに位置する場合、ノズル洗浄部材６５に供給される洗浄水の圧力値は、第一圧力値Ｐｒ１より大きくなるように設定されている。
【００２５】
第一シール部材６１ｃは、図４に示すように、弁体６１ｂの後端部に周方向に全周に亘って形成された環状溝６１ｂ４に配設され、第一開口部６１ａ５から供給される洗浄水が弁体６１ｂの外周面とバルブボディ６１ａの内周面との間から各開口部６１ａ６，６１ａ７，６１ａ８へ漏れることを防ぐものである。第二シール部材６１ｄは、弁体６１ｂの前端部に周方向に全周に亘って形成された環状溝６１ｂ５に配設され、各連通穴６１ｂ１，６１ｂ２，６１ｂ３から導出される洗浄水がバルブボディ６１ａの前端から外部へ漏れることを防ぐものである。各シール部材６１ｃ，６１ｄは、例えばＥＰＤＭで形成されたＯリングである。
モータ６１ｅは、制御装置５０から送信される制御指令値に従って、弁体６１ｂをバルブボディ６１ａに対して回動させるものである。モータ６１ｅは、例えばステッピングモータである。モータ６１ｅは、出力軸６１ｅ１が弁体６１ｂの前端面から窪むように形成された凹部６１ｂ６に嵌るように、バルブボディ６１ａの前端部に固定されている。
【００２６】
おしり洗浄部材６２は、図６および図７に示すように、シリンダ６２ａ、キャップ６２ｂ、おしりノズル６２ｃ、チェックバルブ６２ｄおよびノズルスプリング６２ｅを備えている。
シリンダ６２ａは、両端を開口する円筒状に形成されている。シリンダ６２ａは、おしりノズル６２ｃを軸線６２ｆ方向に沿って移動可能に収納するものである。シリンダ６２ａは、先端側（図６の左下側）から順に小径部６２ａ１、段部６２ａ２および大径部６２ａ３が形成されている。小径部６２ａ１の先端側には、開口部６２ａ４が形成されている。開口部６２ａ４は、おしりノズル６２ｃの筒部６２ｃ１（後述する）の外周面の形状に沿うように、かつ、おしりノズル６２ｃを軸線６２ｆ方向に沿って移動可能に形成されている。開口部６２ａ４の周縁には、環状の段部６２ａ５が形成されている。また、段部６２ａ２の内面は、小径部６２ａ１から大径部６２ａ３に向かうにしたがって、内径を徐々に大きくするテーパ状に形成されている。
【００２７】
キャップ６２ｂは、大径部６２ａ３の後端側（図６の右上側）の開口部を塞ぐように形成されている。キャップ６２ｂには、第四流路Ｌ４に相当するＬ字状の給水ポート６２ｂ１が形成されている。給水ポート６２ｂ１の一端は、シリンダ６２ａの内部に開口する。給水ポート６２ｂ１の他端は、水勢調整切替バルブ６１の第二ポート６１ａ２が、例えば嵌合することにより接続されている。また、キャップ６２ｂのシリンダ６２ａ内に対向する面には、軸線６２ｆ方向に沿ってシリンダ６２ａの内部に向かって延びるように突出する円柱状の突出部６２ｂ２、および、シリンダ６２ａの内部に向かって突起する複数の凸部６２ｂ３が形成されている。突出部６２ｂ２は、おしりノズル６２ｃが収納位置Ｐ１に位置する場合、チェックバルブ６２ｄの弁体６２ｄ２を押圧するように形成されている（後述する）。
【００２８】
おしりノズル６２ｃは、局部洗浄水を噴出するものである。おしりノズル６２ｃは、本体部１０（ケーシング１１）内に収納される収納位置Ｐ１（図２および図６参照）と、洗浄水を局部洗浄水として人体局部に向けて噴出する洗浄位置Ｐ２（図７参照）との間を移動可能にシリンダ６２ａに配設されている。また、おしりノズル６２ｃは、シリンダ６２ａ内に供給される洗浄水の圧力によって収納位置Ｐ１から洗浄位置Ｐ２に移動する水圧駆動式ノズルである。おしりノズル６２ｃは、筒部６２ｃ１、ピストン部６２ｃ２、曲面部６２ｃ３および局部洗浄穴６２ｃ４を備えている。
筒部６２ｃ１は、軸線６２ｆ方向に沿って延びるとともに、後端部に軸線６２ｆに沿ってシリンダ６２ａ内に向けて開口する開口部６２ｃ１ａを有する筒状に形成されている。
【００２９】
ピストン部６２ｃ２は、筒部６２ｃ１の後端部に、周方向全周に亘って径方向外側に向かって突出する鍔状に形成されている。ピストン部６２ｃ２の外周面は、シリンダ６２ａの大径部６２ａ３の内周面と液密に軸線６２ｆに沿って摺動可能に形成されている。ピストン部６２ｃ２の後端面は、凸部６２ｂ３の頂部と接触可能に形成されている。
曲面部６２ｃ３は、シリンダ６２ａの段部６２ａ２の内面に接触可能に形成されている。曲面部６２ｃ３は、ピストン部６２ｃ２の前端部に、周方向全周に亘って曲率を一定とする環状に形成された曲面である。
局部洗浄穴６２ｃ４は、筒部６２ｃ１内部から外部に向かって開口し、おしりノズル６２ｃに供給された洗浄水を局部洗浄水として噴出する貫通穴である。
【００３０】
チェックバルブ６２ｄは、おしりノズル６２ｃの開口部６２ｃ１ａに配設され、開口部６２ｃ１ａから局部洗浄穴６２ｃ４への洗浄水の流れを許容する開状態と、逆方向の流れを規制する閉状態とを有するものである。チェックバルブ６２ｄは、弁座６２ｄ１、弁体６２ｄ２、弁体６２ｄ２を弁座６２ｄ１に向かって付勢するバルブスプリング６２ｄ３、および、弁体６２ｄ２およびバルブスプリング６２ｄ３を保持する保持部材６２ｄ４を備えている。弁体６２ｄ２は、軸線６２ｆに沿って移動可能に保持されている。チェックバルブ６２ｄの開状態は、図６および図７に実線にて示すように、弁座６２ｄ１と弁体６２ｄ２とが離れた状態である。チェックバルブ６２ｄの閉状態は、弁体６２ｄ２がバルブスプリング６２ｄ３の付勢力によって図６に破線にて示す位置に位置することにより、弁座６２ｄ１と弁体６２ｄ２とが接触する状態である。弁座６２ｄ１および保持部材６２ｄ４は、開口部６２ｃ１ａに例えば圧入により固定されている。おしりノズル６２ｃの後端側から弁体６２ｄ２に作用する洗浄水の圧力によって生じる荷重が、チェックバルブ６２ｄが閉状態であるときのバルブスプリング６２ｄ３の付勢力であるバルブスプリング荷重Ｆｂより大きい場合、弁体６２ｄ２がバルブスプリング６２ｄ３の付勢力に抗っておしりノズル６２ｃの先端側に移動することにより、チェックバルブ６２ｄが開状態になる。一方、おしりノズル６２ｃの後端側から弁体６２ｄ２に作用する洗浄水の圧力によって生じる荷重が、バルブスプリング荷重Ｆｂ以下である場合、バルブスプリング６２ｄ３の付勢力によって、チェックバルブ６２ｄが閉状態になる。
【００３１】
ノズルスプリング６２ｅは、おしりノズル６２ｃを軸線６２ｆに沿っておしりノズル６２ｃの後端側に付勢するものである。ノズルスプリング６２ｅは、シリンダ６２ａの内周面と筒部６２ｃ１の外周面との間に配設されている。ノズルスプリング６２ｅの一端が段部６２ａ５に接触し、他端がピストン部６２ｃ２の前端面に接触する。ノズルスプリング６２ｅは、図８に示すように、収納位置Ｐ１に位置する場合、第一ノズルスプリング荷重Ｆｎ１にておしりノズル６２ｃを付勢する。また、ノズルスプリング６２ｅは、おしりノズル６２ｃが洗浄位置Ｐ２に位置する場合、第一ノズルスプリング荷重Ｆｎ１より大きい第二ノズルスプリング荷重Ｆｎ２にておしりノズル６２ｃを付勢する。
【００３２】
上述したノズルスプリング荷重Ｆｎ１，Ｆｎ２およびバルブスプリング荷重Ｆｂと、洗浄水がおしりノズル６２ｃを押圧する荷重との関係について、図８を用いて説明する。
第一ノズルスプリング荷重Ｆｎ１は、第一押圧荷重Ｆｐ１より大きくなるように設定されている。第一押圧荷重Ｆｐ１は、洗浄水の圧力が第一圧力値Ｐｒ１であるときに、ピストン部６２ｃ２の後端面に作用することにより生じるおしりノズル６２ｃを押圧する荷重である。第一押圧荷重Ｆｐ１は、ピストン部６２ｃ２の後端面の面積と第一圧力値Ｐｒ１との積である。これにより、シリンダ６２ａ内に供給される洗浄水の圧力値が第一圧力値Ｐｒ１である場合、または、シリンダ６２ａ内に洗浄水が供給されていない場合、おしりノズル６２ｃは、ノズルスプリング６２ｅの付勢力によって、おしりノズル６２ｃが収納位置Ｐ１に位置する（図６参照）。
【００３３】
第二ノズルスプリング荷重Ｆｎ２は、第二押圧荷重Ｆｐ２より小さくなるように設定されている。第二押圧荷重Ｆｐ２は、ピストン部６２ｃ２の後端面に洗浄水の圧力が第二圧力値Ｐｒ２にて作用することにより生じるノズル６２ｃを押圧する荷重である。第二圧力値Ｐｒ２は、人体局部を洗浄する場合における最小圧力値であり、第一圧力値Ｐｒ１より大きい圧力値となるように設定されている。第二押圧荷重Ｆｐ２は、ピストン部６２ｃ２の後端面の面積と第二圧力値Ｐｒ２との積である。これにより、人体局部を洗浄するために洗浄水が第二圧力値Ｐｒ２以上にてシリンダ６２ａ内に供給された場合、おしりノズル６２ｃがノズルスプリング６２ｅの付勢力に抗って移動し、洗浄位置Ｐ２に位置する（図７参照）。
【００３４】
また、洗浄水がシリンダ６２ａ内に第二圧力値Ｐｒ２以上にて供給されておしりノズル６２ｃが洗浄位置Ｐ２に位置する場合、チェックバルブ６２ｄが開状態となるように、バルブスプリング荷重Ｆｂが第二押圧荷重Ｆｐ２より小さくなるように設定されている。さらに、おしりノズル６２ｃが収納位置Ｐ１から洗浄位置Ｐ２に移動している場合に、チェックバルブ６２ｄが閉状態となるように、バルブスプリング荷重Ｆｂは、第二押圧荷重Ｆｐ２と第二ノズルスプリング荷重Ｆｎ２との差分より大きくなるように設定されている。
【００３５】
おしりノズル６２ｃが収納位置Ｐ１に位置する場合、ピストン部６２ｃ２の後端面と凸部６２ｂ３の先端部とが接触する。また、この場合、図６に示すように、局部洗浄穴６２ｃ４がシリンダ６２ａの外部に位置する。さらにこの場合、弁体６２ｄ２が突出部６２ｂ２に押圧されることにより、チェックバルブ６２ｄが開状態となる。一方、おしりノズル６２ｃが洗浄位置Ｐ２に位置する場合、図７に示すように、シリンダ６２ａの段部６２ａ２内面とおしりノズル６２ｃの曲面部６２ｃ３とが接触する。段部６２ａ２内面と曲面部６２ｃ３とが接触することにより、大径部６２ａ３内の洗浄水の小径部６２ａ１への漏れを抑制することができる。
【００３６】
ビデ洗浄部材６３は、図２に示すように、シリンダ６３ａ、キャップ６３ｂ、ビデノズル６３ｃ、チェックバルブ（図示なし）およびノズルスプリング（図示なし）を備え、それぞれ、おしり洗浄部材６２と同様に形成されている。但し、ビデノズル６３ｃの局部洗浄穴６３ｃ４は、複数形成されている。おしりノズル６２ｃおよびビデノズル６３ｃは、本発明における局部洗浄ノズルに相当する。
【００３７】
第二接続ホース６４は、水勢調整切替バルブ６１とノズル洗浄部材６５とを接続し、洗浄水の流路である第六流路Ｌ６を構成するものである。第二接続ホース６４は、例えばニトリルゴム等にて形成された管状のホースである。
【００３８】
ノズル洗浄部材６５は、第二接続ホース６４から供給された洗浄水を、おしりノズル６２ｃおよびビデノズル６３ｃを洗浄するノズル洗浄水として、おしりノズル６２ｃおよびビデノズル６３ｃに向けて噴出するものである。ノズル洗浄部材６５は、本体部１０内に配設され、図９に示すように、ノズル洗浄ボディ６５ａ、給水ポート６５ｂ、第一ノズル洗浄穴６５ｃおよび第二ノズル洗浄穴６５ｄを備えている。
【００３９】
ノズル洗浄ボディ６５ａは、図６、図７および図９に示すように、シリンダ６２ａ，６３ａの先端部上面に配設され、中空の箱状に形成されている。給水ポート６５ｂは、図９に示すように、第二接続ホース６４から供給される洗浄水をノズル洗浄ボディ６５ａ内部に導出するものである。給水ポート６５ｂは、ノズル洗浄ボディ６５ａの右側壁から右方に突出するように形成され、一端を第二接続ホース６４に接続され、他端をノズル洗浄ボディ６５ａの内部に開口するように形成されている。
【００４０】
ノズル洗浄穴６５ｃ，６５ｄは、ノズル洗浄ボディ６５ａの前側壁６５ａ１に形成され、ノズル洗浄部材６５に供給された洗浄水をノズル洗浄水として噴出するものである。第一ノズル洗浄穴６５ｃは、ノズル洗浄ボディ６５ａの前側壁６５ａ１の左側に配設され、おしりノズル６２ｃが収納位置Ｐ１に位置する場合、ノズル洗浄水を、局部洗浄穴６２ｃ４を有する先端部に向かって噴出するように形成されている。第二ノズル洗浄穴６５ｄは、ノズル洗浄ボディ６５ａの前側壁６５ａ１の右側に配設され、ビデノズル６３ｃが収納位置Ｐ１に位置する場合、ノズル洗浄水を、局部洗浄穴６３ｃ４を有する先端部に向かって噴出するように形成されている。このように、ノズル洗浄穴６５ｃ，６５ｄは、局部洗浄穴６２ｃ４，６３ｃ４に向けて少なくとも噴出する。
【００４１】
また、ノズル洗浄穴６５ｃ，６５ｄは、ノズル洗浄水を局部洗浄穴６２ｃ４，６３ｃ４に向かうに従って平面視にて扇状に広がって噴出させるように形成されている。具体的には、図１０乃至図１２に示すように、第一ノズル洗浄穴６５ｃは、凹部６５ｅおよび切り込み部６５ｆによって形成されている。凹部６５ｅは、前側壁６５ａ１の内面から前方に向かって球状に窪むように形成されている。切り込み部６５ｆは、前側壁６５ａ１の外面から後方に向かって上下方向の幅が徐々に狭くなるテーパ状に形成されるとともに、凹部６５ｅを前側壁６５ａ１の外面側から切り込むように形成されている。これにより、第一ノズル洗浄穴６５ｃは、左右方向を長手方向とする貫通穴に形成される。また、第二ノズル洗浄穴６５ｄにおいても、第一ノズル洗浄穴６５ｃと同様の貫通穴に形成されている。
【００４２】
さらに、ノズル洗浄穴６５ｃ，６５ｄは、弁体６１ｂが原点位置ＨＰに位置している状態にて、ノズル洗浄部材６５に洗浄水が供給された場合、ノズル洗浄穴６５ｃ，６５ｄからノズル洗浄水が第一水勢にて噴出されるように形成されている。
また、局部洗浄穴６２ｃ４，６３ｃ４は、弁体６１ｂが原点位置ＨＰに位置している状態にて、シリンダ６２ａ，６３ａ内に洗浄水が第一圧力値Ｐｒ１にて供給された場合、局部洗浄穴６２ｃ４，６３ｃ４から局部洗浄水が第一水勢より弱い第二水勢にて噴出されるように形成されている。このように、第二水勢を第一水勢より弱くするために、上述したように、弁体６１ｂが原点位置ＨＰに位置する場合において、ノズル洗浄部材６５に供給される洗浄水の圧力値が第一圧力値Ｐｒ１より大きくなるように設定され、かつ、各ポート６１ａ２，６１ａ３，６１ａ４から局部洗浄穴６２ｃ４，６３ｃ４およびノズル洗浄穴６５ｃ，６５ｄまでのそれぞれの流路抵抗が設定されている。それぞれの流路抵抗は、予め実験等によって実測されて導出されている。
【００４３】
制御装置５０は、止水電磁弁４１ｄ、温度センサ４２ｃ、ヒータ４２ｂおよび水勢調整切替バルブ６１のモータ６１ｅと、電気的に接続されている。制御装置５０は、温度センサ４２ｃよって検出される信号に基づいて、ヒータ４２ｂを制御して、洗浄水の温度を所定温度（例えば３９℃）に調整する。また、使用者によって操作部（図示なし）における人体局部を洗浄するためのスイッチ（図示なし）が操作され、その操作に応じた制御信号を制御装置５０が受信した場合、洗浄水の流量が所定流量（例えば０．８Ｌ／分）となるように、止水電磁弁４１ｄおよびモータ６１ｅが制御装置５０によって制御され、おしりノズル６２ｃまたはビデノズル６３ｃから局部洗浄水が人体局部に向けて噴出される。
【００４４】
制御装置５０は、おしりノズル６２ｃから局部洗浄水を噴出させる場合、止水電磁弁４１ｄによって第二流路Ｌ２を開状態にし、モータ６１ｅによって、弁体６１ｂを図５Ａに示す原点位置ＨＰからおしり図５Ｂに示す洗浄回動範囲内の位置に回動させる。これにより、第二流路Ｌ２から温水タンク４２および第一接続ホース４３を介して水勢調整切替バルブ６１の第一ポート６１ａ１に供給された洗浄水は、図４および図５Ｂに示す第一ポート６１ａ１の第一開口部６１ａ５、弁体６１ｂ内部、第一連通穴６１ｂ１、第二開口部６１ａ６から第二ポート６１ａ２に導出される。そして、第二ポート６１ａ２から導出された洗浄水は、図７に破線の矢印にて示すように、給水ポート６２ｂ１からシリンダ６２ａ内に導入される。人体局部が洗浄される場合、シリンダ６２ａ内に供給された洗浄水の圧力値が第二圧力値Ｐｒ２以上であるため、おしりノズル６２ｃが洗浄水によって押圧されて収納位置Ｐ１から洗浄位置Ｐ２に移動する。おしりノズル６２ｃが洗浄位置Ｐ２に到達した場合、チェックバルブ６２ｄが開状態となり、洗浄水が筒部６２ｃ１内に導入され、局部洗浄水が局部洗浄穴６２ｃ４から人体局部に向かって噴出する。
【００４５】
制御装置５０は、おしりノズル６２ｃからの局部洗浄水の噴出を停止させる場合、止水電磁弁４１ｄによって第二流路Ｌ２を閉状態にし、モータ６１ｅによって、弁体６１ｂを図５Ｂに示すおしり洗浄回動範囲内の位置から図５Ａに示す原点位置ＨＰに戻す。これにより、局部洗浄穴６２ｃ４から局部洗浄水の噴出が停止して、シリンダ６２ａ内の洗浄水の圧力値が低下する。そして、おしりノズル６２ｃを押圧する荷重が第一ノズルスプリング荷重Ｆｎ１より小さくなった場合、ノズルスプリング６２ｅの付勢力によっておしりノズル６２ｃが洗浄位置Ｐ２から収納位置Ｐ１に戻る。
【００４６】
次に、上述した温水洗浄便座装置１が、ノズル洗浄部材６５からノズル洗浄水を噴出させて、ノズル６２ｃ，６３ｃの先端部を洗浄するノズル洗浄制御を行う場合の動作について説明する。例えば、使用者によって操作部におけるノズル６２ｃ，６３ｃの先端部を洗浄するためのスイッチ（図示なし）が操作され、その操作に応じた制御信号を制御装置５０が受信した場合、制御装置５０は、ノズル洗浄制御を開始する。具体的には、制御装置５０は、止水電磁弁４１ｄによって、第二流路Ｌ２を開状態にして、弁体６１ｂを原点位置ＨＰに位置させる。これにより、水勢調整切替バルブ６１に導入された洗浄水は、各流路Ｌ４，Ｌ５，Ｌ６それぞれに導出される。
【００４７】
弁体６１ｂが原点位置ＨＰに位置する場合、第四流路Ｌ４に導出された洗浄水は、第一圧力値Ｐｒ１にてシリンダ６２ａ内に供給される。このとき、おしりノズル６２ｃは、上述したように収納位置Ｐ１に位置したままである。そして、チェックバルブ６２ｄは、突出部６２ｂ２によって開状態になっているため、図６に実線の矢印にて示すように、洗浄水がおしりノズル６２ｃ内に導入されて局部洗浄穴６２ｃ４から第二水勢にて噴出する。
【００４８】
第五流路Ｌ５に導出された洗浄水は、第四流路Ｌ４に導出された洗浄水と同様に、第一圧力値Ｐｒ１にてシリンダ６３ａ内に供給される。そして、ビデノズル６３ｃが収納位置Ｐ１に位置したまま、洗浄水が局部洗浄穴６３ｃ４から第二水勢にて噴出する。
【００４９】
第六流路Ｌ６（第二接続ホース６４）に導出された洗浄水は、図６および図９に破線の矢印にて示すように、ノズル洗浄ボディ６５ａ内に導入され、ノズル洗浄穴６５ｃ，６５ｄから扇状に第一水勢にて噴出する。これにより、局部洗浄穴６２ｃ４，６３ｃ４を含むノズル６２ｃ，６３ｃの先端部が洗浄される。
【００５０】
制御装置５０は、ノズル洗浄制御を開始してから所定時間（例えば６秒）が経過した場合、ノズル洗浄制御を終了する。具体的には、制御装置５０は、止水電磁弁４１ｄによって、第二流路Ｌ２を閉状態にする。これにより、ノズル洗浄水および局部洗浄水の噴出が停止する。
【００５１】
本実施形態によれば、温水洗浄便座装置１は、便座２０を保持する本体部１０（ケーシング１１）内に収納される収納位置Ｐ１と、水道配管３から供給される洗浄水を、人体局部を洗浄する局部洗浄水として人体局部に向けて噴出する洗浄位置Ｐ２との間を移動可能に配設され、局部洗浄水を噴出する局部洗浄穴６２ｃ４，６３ｃ４を有するノズル６２ｃ，６３ｃと、本体部１０内に配設され、ノズル６２ｃ，６３ｃが収納位置Ｐ１に位置する場合、水道配管３から供給される洗浄水を、ノズル６２ｃ，６３ｃを洗浄するノズル洗浄水として局部洗浄穴６２ｃ４，６３ｃ４に向けて少なくとも噴出するノズル洗浄穴６５ｃ，６５ｄを有するノズル洗浄部材６５と、水道配管３、ノズル６２ｃ，６３ｃおよびノズル洗浄部材６５に接続され、水道配管３から局部洗浄穴６２ｃ４，６３ｃ４およびノズル洗浄穴６５ｃ，６５ｄに供給される洗浄水の圧力をそれぞれ調整することにより、局部洗浄穴６２ｃ４，６３ｃ４から噴出される局部洗浄水およびノズル洗浄穴６５ｃ，６５ｄから噴出されるノズル洗浄水の水勢をそれぞれ調整する水勢調整切替バルブ６１と、水勢調整切替バルブ６１を少なくとも制御する制御装置５０と、を備えている。制御装置５０は、ノズル６２ｃ，６３ｃを収納位置Ｐ１に位置させて、かつ、水勢調整切替バルブ６１によって、ノズル洗浄穴６５ｃ，６５ｄからノズル洗浄水を噴出させるとともに、局部洗浄穴６２ｃ４，６３ｃ４から局部洗浄水を噴出させてノズル６２ｃ，６３ｃを洗浄するノズル洗浄制御を行う。
これによれば、ノズル６２ｃ，６３ｃを洗浄するノズル洗浄が行われる場合、ノズル洗浄穴６５ｃ，６５ｄからノズル洗浄水が噴出するとともに、局部洗浄穴６２ｃ４，６３ｃ４から局部洗浄水が噴出する。よって、ノズル洗浄を行ったノズル洗浄水が局部洗浄穴６２ｃ４，６３ｃ４からノズル６２ｃ，６３ｃ内部に入り込むことを抑制することができる。したがって、ノズル６２ｃ，６３ｃの清潔性の低下を抑制することができる。
【００５２】
また、制御装置５０は、ノズル洗浄制御を行う場合、水勢調整切替バルブ６１によって、ノズル洗浄穴６５ｃ，６５ｄからノズル洗浄水を第一水勢にて噴出させるとともに、局部洗浄穴６２ｃ４，６３ｃ４から局部洗浄水を前記第一水勢より弱い第二水勢にて噴出させる。
これによれば、ノズル洗浄が行われる場合、ノズル６２ｃ，６３ｃから噴出する洗浄水の水勢が第一水勢より弱い第二水勢であるため、洗浄水がノズル６２ｃ，６３ｃを押圧する荷重を比較的小さくすることができる。よって、ノズル６２ｃ，６３ｃが洗浄水の圧力によって移動する水圧駆動式ノズルである場合においても、ノズル６２ｃ，６３ｃを収納位置Ｐ１に位置させることができる。したがって、ノズル６２ｃ，６３ｃの各局部洗浄穴６２ｃ４，６３ｃ４の周辺を確実に洗浄することができる。
ノズル洗浄が行われているときにおいて、例えば局部洗浄水の水勢が比較的大きい場合、局部洗浄水とノズル洗浄水とが干渉することにより、ノズル洗浄水の水勢が弱くなり、ノズル洗浄水のノズル６２ｃ，６３ｃに対する洗浄性能が低下するときがある。これに対して、本実施形態の温水洗浄便座装置１は、ノズル洗浄水の第一水勢より局部洗浄水の第二水勢が弱いため、局部洗浄水とノズル洗浄水との干渉によりノズル洗浄水の水勢が弱くなることを抑制することができる。よって、ノズル洗浄水のノズル６２ｃ，６３ｃに対する洗浄性能の低下を抑制することができる。
【００５３】
また、ノズル６２ｃ，６３ｃは、ノズル６２ｃ，６３ｃに供給される洗浄水の圧力によって、収納位置Ｐ１から洗浄位置Ｐ２に移動する水圧駆動式ノズルであり、局部洗浄水の第二水勢に相当する局部洗浄穴６２ｃ４，６３ｃ４に供給される洗浄水の圧力値は、ノズル６２ｃ，６３ｃを収納位置Ｐ１に位置させる洗浄水の最大圧力値以下に設定されている。
これによれば、ノズル６２ｃ，６３ｃが水圧駆動式ノズルである場合においても、ノズル６２ｃ，６３ｃの洗浄を行うときに、ノズル６２ｃ，６３ｃを収納位置Ｐ１に確実に位置させることができる。したがって、局部洗浄穴６２ｃ４，６３ｃ４を含むノズル６２ｃ，６３ｃの先端部をさらに確実に洗浄することができる。
【００５４】
また、ノズル洗浄穴６５ｃ，６５ｄは、ノズル洗浄水をノズル６２ｃ，６３ｃに向かうにしたがって扇状に広がって噴出させるように形成されている。
例えばノズル洗浄穴が断面円状に形成され、直線状のノズル洗浄水を噴出させてノズル６２ｃ，６３ｃの局部洗浄穴６２ｃ４，６３ｃ４の周辺を洗浄する場合においては、穴径が比較的小さく、かつ、比較的多くのノズル洗浄穴を形成する必要がある。これに対して、本実施形態の温水洗浄便座装置１によれば、一つのノズル洗浄穴６５ｃ，６５ｄで比較的広い範囲を洗浄することができるため、比較的簡便に局部洗浄穴６２ｃ４，６３ｃ４を形成することができる。
また、局部洗浄穴６２ｃ４，６３ｃ４は、ノズル洗浄穴を複数形成する場合に比べ、局部洗浄穴６２ｃ４，６３ｃ４の周辺に対して、均等な圧力にて洗浄水を噴出することができるため、局部洗浄穴６２ｃ４，６３ｃ４の周辺全体を均等に洗浄することができる。
さらに、局部洗浄穴６２ｃ４，６３ｃ４の周辺を洗浄するために、断面円状のノズル洗浄穴を複数形成する場合に比べて、本実施形態におけるノズル洗浄穴６５ｃ，６５ｄは、開口面積を大きくすることができるため、異物等による穴詰まりを抑制することができる。
【００５５】
次に、本発明による温水洗浄便座装置１の第二実施形態について、主に第一実施形態と異なる部分について、図１３を用いて説明する。上述した第一実施形態においては、おしりノズル６２ｃが収納位置Ｐ１に位置する場合、局部洗浄穴６２ｃ４は、シリンダ６２ａの小径部６２ａ１より外部に位置している。これに対し、本第二実施形態の局部洗浄穴６２ｃ４は、小径部１６２ａ１の内部に位置している。具体的には、第一実施形態の小径部６２ａ１に比べて、本第二実施形態の小径部１６２ａ１は、軸線６２ｆ方向に沿った長さが長くなっている。さらに、本実施形態のノズル装置６０は、上述した第一実施形態のノズル洗浄部材６５に代えて、本第二実施形態の小径部１６２ａ１に、一端が第六流路Ｌ６に連通し、他端が小径部１６２ａ１内に開口する給水ポート１６２ａ５が形成されている。本第二実施形態におけるノズル６２ｃの先端部の洗浄は、洗浄水が給水ポート１６２ａ５を介して小径部１６２ａ１内部に導出されることにより行われる。なお、本第二実施形態のビデ洗浄部材６３のシリンダ６３ａの小径部（図示なし）は、上述したシリンダ６２ａと同様に、局部洗浄穴６３ｃ４がシリンダ６３ａの内部に位置するように形成されるとともに、第六流路Ｌ６とシリンダ６３ａの小径部内部とを連通する給水ポート（図示なし）が形成されている。
【００５６】
次に、本発明による温水洗浄便座装置１の第三実施形態について、主に第一実施形態と異なる部分について、図１４を用いて説明する。上述した第一実施形態においては、第六流路Ｌ６は、第二接続ホース６４によって構成され、水勢調整切替バルブ６１とノズル洗浄部材６５とを接続している。本第二実施形態の温水洗浄便座装置１は、上述した第一実施形態の温水洗浄便座装置１が有する第二接続ホース６４を備えておらず、第三接続ホース２６４および止水電磁弁２４５をさらに備えている。第三接続ホース２６４は、本第三実施形態における第六流路Ｌ６を構成し、一端がリリーフバルブ４１ｅと温水タンク４２との間にて第二流路Ｌ２に接続され、他端がノズル洗浄部材６５に接続されている。また、止水電磁弁２４５は、第三接続ホース２６４に配設され、制御装置５０から送信される制御信号により、第六流路Ｌ６を開状態または閉状態にするものである。本実施形態においては、止水電磁弁２４５は、通常時（非制御時）に第六流路Ｌ６を閉状態にする。本第三実施形態において、ノズル６２ｃ，６３ｃのノズル洗浄が行われる場合、制御装置５０は、水勢調整切替バルブ６１の弁体６１ｂを原点位置ＨＰに位置させて、止水電磁弁４１ｄによって第二流路Ｌ２を開状態にして局部洗浄穴６２ｃ４，６３ｃ４から局部洗浄水を第一水勢にて噴出させるともに、止水電磁弁２４５によって第六流路Ｌ６を開状態にしてノズル洗浄穴６５ｃ，６５ｄからノズル洗浄水を第二水勢にて噴出させる。
【００５７】
次に、本発明による温水洗浄便座装置１の第四実施形態について、主に第一実施形態と異なる部分について、図１５を用いて説明する。上述した第一実施形態においては、おしりノズル６２ｃは、チェックバルブ６２ｄを備えているが、本第三実施形態のおしりノズル６２ｃは、上述した第一実施形態のチェックバルブ６２ｄに代えて、貫通穴３６２ｃ５が形成されている。貫通穴３６２ｃ５は、ピストン部６２ｃ２の後端面の面積と第一圧力値Ｐｒ１との積が第一押圧荷重Ｆｐ１となる大きさに形成されている。なお、ビデノズル６３ｃにおいても、おしりノズル６２ｃと同様にチェックバルブ６３ｄに代えて、貫通穴（図示なし）が形成されている。
【００５８】
次に、本発明による温水洗浄便座装置１の第五実施形態について、主に第一実施形態と異なる部分について、図１６を用いて説明する。上述した第一実施形態において、おしりノズル６２ｃは、洗浄水の圧力によって移動する水圧駆動式ノズルであるが、これに代えて、本第五実施形態のおしりノズル４６２ｃは、モータを駆動源として移動するモータ駆動式ノズルである。本第五実施形態のおしり洗浄部材４６２は、おしりノズル４６２ｃ、ノズルガイド部材４６２ｆ、モータ４６２ｇおよびピニオンギヤ４６２ｈを備えている。
【００５９】
おしりノズル４６２ｃは、軸線４６２ｉに沿って延びる筒状に形成された筒部４６２ｃ１、筒部４６２ｃ１の先端部に形成された局部洗浄穴４６２ｃ４、筒部４６２ｃ１の後端部に形成された第四流路Ｌ４と筒部４６２ｃ１の内部とを連通する給水ポート４６２ｃ５、および、筒部４６２ｃ１の下面に形成されたラック４６２ｃ６を備えている。本第四実施形態において、第四流路Ｌ４は、例えば屈曲性を有する管状のホース（図示なし）によって構成されている。
【００６０】
ノズルガイド部材４６２ｆは、おしりノズル４６２ｃを軸線４６２ｉに沿って収納位置Ｐ１と洗浄位置Ｐ２との間を案内するものである。ノズルガイド部材４６２ｆには、モータ４６２ｇが固定されている。モータ４６２ｇは、制御装置５０と電気的に接続され、制御装置５０によって送信される制御指令値にしたがって回転駆動することにより、ピニオンギヤ４６２ｈを回転させるものである。ピニオンギヤ４６２ｈは、おしりノズル４６２ｃのラック４６２ｃ６と噛み合うように配設されている。制御装置５０から送信される制御指令値によってモータ４６２ｇが回転駆動することにより、おしりノズル４６２ｃが収納位置Ｐ１と洗浄位置Ｐ２との間をノズルガイド部材４６２ｆに案内されて移動する。
【００６１】
本第五実施形態において、おしりノズル６２ｃの洗浄が行われる場合、制御装置５０は、モータ４６２ｇによっておしりノズル４６２ｃを収納位置Ｐ１に位置させるとともに、水勢調整切替バルブ６１の弁体６１ｂを原点位置ＨＰに位置させた状態にて、止水電磁弁４１ｄによって第二流路Ｌ２を開状態にする。これにより、ノズル洗浄部材６５からノズル洗浄水がおしりノズル４６２ｃの先端部に向けて噴出されるとともに、給水ポート４６２ｃ５からノズル４６２ｃ内に供給された洗浄水が、局部洗浄穴４６２ｃ４から第二水勢にて噴出する。なお、本第五実施形態において、ビデ洗浄部材についても、おしり洗浄部材４６２と同様に、モータ駆動式ノズルとして構成されている。
【００６２】
なお、上述した各実施形態において、温水洗浄便座装置の一例を示したが、本発明はこれに限定されず、他の構成を採用することもできる。例えば、各実施形態において、ノズル６２ｃ，６３ｃの洗浄が行われる場合、ノズル洗浄水の第二水勢は、局部洗浄水の第一水勢より弱い水勢であるが、これに代えて、ノズル洗浄水の第二水勢を局部洗浄水の第一水勢より強くするようにしても良い。また、ノズル洗浄水の第二水勢と局部洗浄水の第一水勢とを同じ水勢にしても良い。
【００６３】
また、上述した第三実施形態において、第三接続ホース２６４は、本第三実施形態における第六流路Ｌ６を構成し、一端がリリーフバルブ４１ｅと温水タンク４２との間にて第二流路Ｌ２に接続されているが、これに代えて、第三接続ホース２６４の一端をリリーフバルブ４１ｅに接続するようにしても良い。この場合、リリーフバルブ４１ｅから排出される洗浄水がノズル洗浄部材６５に供給される。
また、本発明の要旨を逸脱しない範囲において、ノズル洗浄穴６５ｃ，６５ｄの形状、バルブスプリング６２ｄ３、ノズルスプリング６２ｅの諸元、ノズル６２ｃ，６３ｃの個数、ノズル６２ｃ，６３ｃの洗浄を行うタイミング等を変更しても良い。
【符号の説明】
【００６４】
１…温水洗浄便座装置、３…水道配管（水源）、４０…洗浄ユニット、４４（６０）…ノズル装置、５０…制御装置、６１…水勢調整切替バルブ（水勢調整部）、６２…おしり洗浄部材、６２ｃ…おしりノズル（局部洗浄ノズル）、６２ｃ４…局部洗浄穴、６３…ビデ洗浄部材、６３ｃ…ビデノズル（局部洗浄ノズル）、６３ｃ４…局部洗浄穴、６５…ノズル洗浄部材、６５ｃ…第一ノズル洗浄穴（ノズル洗浄穴）、６５ｄ…第二ノズル洗浄穴（ノズル洗浄穴）、Ｐ１…収納位置、Ｐ２…洗浄位置。
【図１】
2016172976.tif 000003
【図２】
2016172976.tif 000004
【図３】
2016172976.tif 000005
【図４】
2016172976.tif 000006
【図５Ａ】
2016172976.tif 000007
【図５Ｂ】
2016172976.tif 000008
【図５Ｃ】
2016172976.tif 000009
【図６】
2016172976.tif 000010
【図７】
2016172976.tif 000011
【図８】
2016172976.tif 000012
【図９】
2016172976.tif 000013
【図１０】
2016172976.tif 000014
【図１１】
2016172976.tif 000015
【図１２】
2016172976.tif 000016
【図１３】
2016172976.tif 000017
【図１４】
2016172976.tif 000018
【図１５】
2016172976.tif 000019
【図１６】
2016172976.tif 000020